(57)【要約】      （修正有）【課題】上蓋の内筒部のガスバリア性を高めると共に、ボトルキャップ全体のシール性を向上させる。【解決手段】ボトルの口頸部内に挿入する外筒部を備えてボトルの口頸部に嵌着される上蓋取付部と、内部に茶葉の微粉末を収納する内筒部を備えて上蓋取付部の上部に螺合して冠着される上蓋とからなり、内筒部にはその下端開口を開閉する内筒底蓋を有しており、内筒部の側周面および頂面の全域に亘ってその厚み方向の中間位置にガスバリア性を有するバリア層を介設してなる。【選択図】図１
0003130480.tif 000002
【実用新案登録請求の範囲】
【請求項１】
ボトルの口頸部内に挿入する上下が開放された外筒部を備えボトルの口頸部に嵌着される上蓋取付部と、
頂面が塞がれ下面が開口する筒状からなって内部に茶葉の微粉末などの被収納物を収納する内筒部を備え、該内筒部を前記外筒部内に挿入し前記上蓋取付部の上部に螺合して冠着される上蓋と、
前記外筒部の下端から突出する内筒部の下端に着脱可能に外嵌して内筒部の下面開口を塞ぐ内筒底蓋とからなり、
前記上蓋を開方向に螺進して内筒部を上昇させ、前記内筒底蓋を外筒部の下端との衝合により内筒部から脱落させ、内筒部内の被収納物をボトル内に放出してなるボトルキャップであって、
前記内筒部の側周面および頂面の全域に亘ってその厚み方向の中間位置にガスバリヤ性を有するバリア層を介設してなることを特徴とするボトルキャップ。
【請求項２】
バリア層が、ＥＶＯＨ樹脂フィルムからなっていることを特徴とする請求項１に記載のボトルキャップ。
【請求項３】
内筒底蓋が、外周に沿って立ち上がる周壁部と、該周壁部の内側で中央の隆起部との間に形成されて内筒部の下端を嵌合する環状の嵌合溝部とを有しており、
該嵌合溝の溝底部に、前記内筒部の下端との間で気密状に内筒部内を密封する環状の主シール部を固着しており、
該周壁部の上端に、前記外筒部の下端との間で気密状に内筒部内を密封する環状の補助シール部を固着してなることを特徴とする請求項１に記載のボトルキャップ。
【考案の詳細な説明】
【技術分野】
【０００１】
この考案は、粉末状の原料を収容する原料収容部を有し、開栓操作に伴い原料収容部の内筒底蓋を脱落させて原料をボトル内に放出するボトルキャップに関する。
【背景技術】
【０００２】
従来、この種のボトルキャップとして、例えば特開平８−９１４１８号の二剤混合容器（特許文献１）や、特開２００５−８８９９７号のボトルキャップ（特許文献２）などが知られている。
【０００３】
これらのボトルキャップを、緑茶のペットボトルに用いる場合には、内筒部内部に充填する茶葉の微粉末の変質を防止するため、遮光性を有する樹脂材で成型されるのが通常である。  
しかし、たとえば、ペットボトルが透明である場合、射し込む光がペットボトルをレンズとして増強され、樹脂の遮光性だけでは不十分であり、茶葉の微粉末を酸化させるなど劣化させる危険があった。
【０００４】
また従来のボトルキャップでは、内筒部と外筒部の間の隙間にボトル内の液体が侵入しないように外筒部下端部と内筒底蓋外周縁にそれぞれ段差を設けるなどの構成を採用しているが、シール性の確保が困難であった。
【特許文献１】特開平８−９１４１８号公報
【特許文献２】特開２００５−８８９９７号公報
【考案の開示】
【考案が解決しようとする課題】
【０００５】
この考案は上記事情に鑑み創案されたものであって、その主たる課題は、内筒部内部に充填される茶葉の微粉末を光や酸化などの劣化から厳重に保護して、使用時まで茶葉の品質を損なうことなく維持することができるボトルキャップを提供することにある。
【課題を解決するための手段】
【０００６】
上記課題を解決するために、請求項１の考案では、
ボトルの口頸部内に挿入する上下が開放された外筒部を備えボトルの口頸部に嵌着される上蓋取付部と、
頂面が塞がれ下面が開口する筒状からなって内部に茶葉の微粉末などの被収納物を収納する内筒部を備え、該内筒部を前記外筒部内に挿入し前記上蓋取付部の上部に螺合して冠着される上蓋と、
前記外筒部の下端から突出する内筒部の下端に着脱可能に外嵌して内筒部の下面開口を塞ぐ内筒底蓋とからなり、
前記上蓋を開方向に螺進して内筒部を上昇させ、前記内筒底蓋を外筒部の下端との衝合により内筒部から脱落させ、内筒部内の被収納物をボトル内に放出してなるボトルキャップであって、
前記内筒部の側周面および頂面の全域に亘ってその厚み方向の中間位置にガスバリヤ性を有するバリア層を介設してなることを特徴とする。
【０００７】
また、請求項２の考案では、
バリア層が、ＥＶＯＨ樹脂フィルムからなっていることを特徴とする。
更に、請求項３の考案では、
前記内筒底蓋が、外周に沿って立ち上がる周壁部と、該周壁部の内側で中央の隆起部との間に形成されて内筒部の下端を嵌合する環状の嵌合溝部とを有しており、
該嵌合溝の溝底部に、前記内筒部の下端との間で気密状に内筒部内を密封する環状の主シール部を固着しており、
該周壁部の上端に、前記外筒部の下端との間で気密状に内筒部内を密封する環状の補助シール部を固着してなることを特徴とする。
【考案の効果】
【０００８】
請求項１の考案によれば、茶葉の微粉末を覆う上蓋の内筒部の全周面がガスバリヤ性を有するバリア層で覆われた状態となり、茶葉の微粉末の品質保護効果の向上を図ることができる。
また、請求項３の考案によれば、主シール部と補助シール部により二重に内筒部内を密封することができるので、外蓋と内筒部との着脱部分でのガスバリヤ性を保持することができる。
【考案を実施するための最良の形態】
【０００９】
この発明は、茶葉の微粉末を収納する内筒部の側周面および頂面の全域に亘ってその厚み方向の中間位置に遮光性やガスバリヤ性を有するバリア層を介設することで、茶葉の微粉末の品質が劣化しないという目的を実現した。
【実施例１】
【００１０】
以下に、この考案の好適な実施の形態を図面を参考にして詳細に説明する。
図１はボトルキャップ１がボトル５０に装着された状態の側面から見た部分断面図、図２はボトルキャップを装着した飲料容器の側面図である。
ボトルキャップ１は、本実施例ではポリプロピレンの成型品からなっており、ペットボトルなどのボトル５０の口頸部５１に嵌着される上蓋取付部５と、該上蓋取付部５に着脱可能に取り付けられるネジ蓋式の上蓋２とからなっている。
【００１１】
［上蓋取付部］
上蓋取付部５は、ペットボトル等のボトル５０の口頸部５１に被せる嵌着本体部５Ａと、上部に注口部６ａを有して上下両端が開口した外筒部６を一体に設けている。
【００１２】
［外筒部］
外筒部６は、図１や図３に示すように、筒体からなって嵌着本体部５Ａの内側で上下に延びて一体に貫通しており、嵌着本体部５Ａより上側に突出した上部は、上端が開口する注口部６ａとなる。
また、注口部６ａから一連に下方に延びた外筒部６は、嵌着本体部５Ａの内側で下方に突出して垂下筒部６ｂを形成しており、嵌着本体部５Ａとの間にボトルの口頸部５１の嵌合される隙間を形成しながら嵌着本体部５Ａの下端よりも下方に垂下して下端が開口している。
【００１３】
この垂下筒部６ｂの外周面は、ボトル口頸部５１に差し込みやすくするため極く僅か先細となっている。
また嵌着本体部５Ａの上部は外筒部６の中途位置とつながって嵌着本体部５Ａの上面となる段部５ａを有している。
該段部５ａの内壁には、垂下する環状突部５ｂが形成されている。
【００１４】
この環状突部５ｂの下端縁部には、上蓋取付部５がボトル口頸部５１に嵌め込まれた際に口頸部５１の頂点を覆うことになる溝部５ｃが形成され、ボトル５０と上蓋取付部５とが密着するようになっている。
そして、垂下筒部６ｂの外周でボトル口頸部５１の内側上端と対向する箇所には、口頸部５１の内縁と接する漏れ防止用の環状突部６ｃが形成され、ボトルと嵌合した際に液体の漏れを防止する。
また、垂下筒部６ｂの外径はボトルの口頸部５１の内径とほぼ同じ径に設定される。
【００１５】
嵌着本体部５Ａの内周面には、ボトル５０の口頸部５１の外周に刻設された雄ネジＮ１と螺合する雌ネジＮ２が切られている。
そして、嵌着本体部５Ａの外周面には滑り止め用ローレット５ｄが凹凸形成されている。
また前記注口部６ａの外周面には、後述の冠着された上蓋２をネジ止めするための雄ネジＮ３が刻設されている。
【００１６】
［上蓋］
上蓋２は、上蓋本体３とその頂部３ａの下面から垂下して茶葉の微粉末を収納する内筒部４とからなっている。
上蓋本体３は、円形の頂部３ａと、その外周に沿って垂下する胴部３ｂとからなっている。
この胴部３ｂの内周面には、前記注口部６ａの雄ネジＮ３と螺合する雌ネジＮ４が形成されている。
また胴部３ｂの外周面には、滑り止め用ローレット３ｄが刻設されている。
【００１７】
［内筒部］
内筒部４は、下端が開口する筒体からなっており、上蓋本体３の胴部３ｂとの間に隙間を隔て胴部３ｂより下方へ長く突出している。
内筒部４の長さは、上蓋２を上蓋取付部５にネジ止めした際に外筒部６よりも長く突出しており、内筒部４の下部に内筒底蓋９を嵌着すると内筒底蓋９の周壁部９ｃの上端が外筒部６の下端とほぼ隙間無く接しうる長さに設定されている。
【００１８】
内筒部４の肉厚は上端から下端までほぼ同じであるが、下端部は外筒部６内に差し込み易いようテーパー状に面取りしておくことが好ましい。
また、外筒部６から突出する内筒部４の先端は、内筒底蓋９の嵌合溝部９ａに嵌め込まれるが、その際に周壁部９ｃの内壁面に形成された内向き段部９ｄと係止するように環状の凹部４ａを設けている。
【００１９】
［バリア層］
バリア層１４は、内筒部４の中間層として形成されており、本実施例では、ガスバリア性を有するＥＶＯＨ樹脂フィルム（商標名：エバール）を用いたが、アルミナなどのガスバリヤ性と遮光性を併せもつ素材、その他公知の素材を用いてもよい。
【００２０】
また、上蓋本体３には、内筒部４の上部で胴部３ｂとの間に、同心大径で隙間を隔てて肉薄で短い密閉リング２３を一体に突設しており、内筒部４を注口部６ａの内周面に沿って嵌め込んだ際に、上蓋本体３の胴部３ｂ方向に押しつける公知構成となっている。
【００２１】
［内筒底蓋］
内筒底蓋９は、外周に沿って立ち上がる環状の周壁部９ｃと、該周壁部９ｃで囲まれて内側となる中央で上面は突出し下面は窪む隆起部９ｂと、前記周壁部９ｃと隆起部９ｂとの間に形成されて内筒部の下端を嵌合する環状の嵌合溝部９ａと、嵌合溝部９ａ内を直径方向に延びる羽根部９ｅとを有している。
【００２２】
そして、図４に一層明瞭なように、前記嵌合溝部９ａの溝底部には、前記内筒部４の下端との間で気密状に内筒部４内を密封する環状の主シール部Ｓ１を固着している。
主シール部Ｓ１は、嵌合溝部９ａの溝底部に代えて内筒部４の下端に固着してもよい。
主シール部Ｓ１は、本実施例では軟質のシリコンゴムやポリプロピレン等による環状のパッキンからなっているが、気密性を有するシール素材であれば公知の素材を用いることができる。
【００２３】
また、前記内筒部４に外嵌した内筒底蓋９の周壁部９ｃの上端には、外筒部６の下端との間で気密状に内筒部４内を密封する環状の補助シール部Ｓ２を固着している。
補助シール部Ｓ２は、内筒底蓋９の周壁部９ｃの上端に代えて外筒部６の下端に設けてもよい。
この補助シール部Ｓ２も、本実施例では軟質のシリコンゴムやポリプロピレン等による環状のパッキンからなっているが、気密性を有するシール素材であれば公知の素材を用いることができる。
【００２４】
なお、図中、主シール部Ｓ１および補助シール部Ｓ２の取付個所に隙間を形成したのは、各シール部のパッキンが、それぞれ押しつけられてつぶれた際に横にはみ出して逃げるためである。
【００２５】
また、羽根部９ｅは、図３や図５に示すように、隆起部９ｂを中心に放射状に延びる複数（図示例では６つ）の羽根からなっており、内筒部４から脱落しボトル５０内に沈むときに内筒底蓋９を回転させて、同時に内筒部４から投下される茶葉の微粉末を適度に撹拌することができる。
【００２６】
［未開封確認用のバンド部］
上蓋２については、上蓋本体３の胴部３ｂの下周縁に、上蓋本体３と一体成形した環状の未開封確認用のバンド部１１が分離可能に部分的に連結されている。
すなわち、上蓋２の胴部３ｂとバンド部１１は、小さな連結部である複数のブリッジ１２で僅かに一体に連結されているだけで、このブリッジ１２が切断されると分離するようになっている。
【００２７】
また、上蓋２の胴部３ｂの下周縁には小さな凹部１３ａ、バンド部１１には小さな凸部１３ｂが設けられ、互いに嵌合している。上蓋本体３の頂部３ａなどに、ねじ切る方向を示す矢印などを図示することが好ましい（図示せず）。
更に、上蓋取付部５の注口部６ａの外周面で、雄ネジＮ３の下端と嵌着本体部５Ａの段部５ａとの間には、環状の横向き凹部からなる抜け止め部６ｄが一体に設けられている。
【００２８】
このような構成としたボトルキャップは次のように組み立てられる。
上蓋取付部５と上蓋２との組み立てでは、内筒部４を外筒部６に挿入し、上蓋２の雌ネジＮ４を上蓋取付部５の雄ネジＮ３に螺合させ、更に環状のバンド部１１が抜け止め部６ｄを越えるところまで上蓋２を外筒部６の注口部６ａに被せて、注口部６ａを密封する。
【００２９】
このとき、上蓋２は、そのバンド部１１が抜け止め部６ｄにより係止されるとともに、内筒部４の下端部が、外筒部６の下端開口から突出する。
この内筒部４の下端開口から所定量の茶葉の微粉末を投入してから、該下端開口に内筒底蓋９を嵌め込んで内筒部４を封止する。
即ち、外筒部６の下端部は、内筒部４に嵌着された内筒底蓋９の周壁部９ｃの上端と補助シール部Ｓ２を介して隙間無く嵌合する。
同時に、密閉リング２３は注口部６ａ内に圧入されて、上蓋本体３の頂部３ａが注口部６ａの上端に圧接し、密閉リング２３を胴部３ｂ方向に注口部６ａに押しつけて内外から挟持する。
【００３０】
内筒部４に内筒底蓋９を嵌着するときは、図４に示すように、内筒部４の下端の凹部６ｅに内筒底蓋９の周壁部９ｃの内向き段部９ｄが係合し、内筒底蓋９の環状溝部９ａに内筒部４の下端外縁を押しつけるように密着させ、内筒部４の下端との間で主シール部Ｓ１によって密着される。
これと同時に、前述のように、外筒部６の下端部が内筒底蓋９の周壁部９ｃの上端との間で補助シール部Ｓ２によって密着される。
【００３１】
これにより、内筒部４を密封することができるだけでなく、内筒底蓋９と外筒部６とが密着して内筒部４のシール性を更に向上させることができる。
この内筒部４内には、本実施例では茶葉の微粉末が収納される。
また、上記茶葉の微粉末と共に圧力気体を共に封入してもよい。
【００３２】
上記のようにして組み立てたボトルキャップを、ペットボトル等のボトル５０の口頸部５１に装着する場合、外筒部６をボトル口頸部５１内に挿入し、上蓋取付部５の嵌着本体部５Ａを閉じる方向に回して、嵌着本体部５Ａの雌ネジＮ２をボトル口頸部５１の雄ネジＮ１に螺合しし、抜け止め防止リング５ｂがボトルの口頸部５１の下部に形成した抜け止めリング５ｂを越え、口頸部５１の上端が環状突部５ｂに押しつけられた状態になる位置まで緊締し、ボトル５０とボトルキャップ１とを強固に密着させる。
【００３３】
このボトル５０を使用する場合は、上蓋２の上蓋本体３を上蓋取付部５に対し開く方向に回して螺進させると、上蓋２のバンド部１１は、上蓋取付部５側の抜け止め部６ｄにより上昇を阻止されるため、バンド部１１との連結部であるブリッジ１２が切断してバンド部１１と上蓋本体３とが分離して上下に変位し、更に凹部１３ａと凸部１３ｂとの嵌合も外れる。
【００３４】
上蓋２を更に回転させると、これに伴いその内筒部４も回転しながら上昇するが、内筒底蓋９の周壁部９ｃの上端は外筒部６の下端に当接しているので上昇が阻止され、内筒部４から外れる。
これにより、内筒部４の下面が開放されて、収納されていた茶葉の微粉末が吐出され、内筒底蓋９は回転しながらボトル５０の液体内に渦を形成しながら沈下する。
上蓋２を抜き取っても、上蓋取付部５は、上記したように抜け止めリング５ｂの噛合によりボトル口頸部５１から外れない。
【００３５】
上蓋２を抜き取った後も、上蓋取付部５は、その外筒部６をボトル口頸部５１中に嵌合させたまま残る。
そのため、垂下筒部６ｂ外側とボトル口頸部５１の内側の間に液が入って排出しにくくならないよう、公知の手段であるスリットや孔を垂下筒部６ｂに設けてもよい。
【００３６】
また、上記実施例では、内筒部内に茶葉の微粉末を収納した場合を例示したが、この発明では、その他の飲料用の粉末や粒体などを収納するものであってもよい。
その他、用途に応じ、この考案の要旨を変更しない範囲内で種々設計することが可能である。
【図面の簡単な説明】
【００３７】
【図１】ボトルキャップがボトルに装着された状態の部分断面図である。
【図２】ボトルキャップを装着した飲料容器の正面図である。
【図３】取付状態を示す分解した正面図である。
【図４】内筒底蓋の取付状態を示す要部拡大断面図である。
【図５】内筒底蓋の底面図である。
【図６】未使用状態のボトルキャップの断面図である。
【図７】使用状態のボトルキャップの断面図である。
【符号の説明】
【００３８】
１    ボトルキャップ
２    上蓋
３    上蓋本体
３ａ  頂部
３ｂ  胴部
４    内筒部
５    上蓋取付部
５Ａ  嵌着本体部
５ａ  段部
５ｂ  環状突部
６ａ  注口部
６    外筒部
６ｄ  抜け止め部
９    内筒底蓋
９ａ  嵌合溝部
９ｂ  隆起部
９ｃ  周壁部
９ｅ  羽根部
１０    密閉リング
１１    バンド部
【図１】
0003130480.tif 000003
【図２】
0003130480.tif 000004
【図３】
0003130480.tif 000005
【図４】
0003130480.tif 000006
【図５】
0003130480.tif 000007
【図６】
0003130480.tif 000008
【図７】
0003130480.tif 000009